(57)【特許請求の範囲】
【請求項１】
始端側をバーナに臨ませ、終端側を乾燥機後壁面に対向するように配設した遠赤外線放射体を集穀室又は乾燥室に設け、該遠赤外線放射体を前記バーナにより加熱し、該遠赤外線放射体から放射される遠赤外線と前記バーナによる熱風により穀粒を乾燥する穀粒乾燥機において、
前記バーナのバーナケースを機枠に回動自在に取り付け、バーナケースの回動により遠赤外線放射体の始端部が解放する構成とし、
前記遠赤外線放射体の上部に上方が屋根型の反射板を連結し、反射板の側面とレール部材とを連結板で連結し、
レール部材は、乾燥網下部の所定位置に設けた補強枠にスライド可能に係合し、遠赤外線放射体の装着時は、レール部材をボルト止めにより補強枠に固定し、遠赤外線放射体を取り外すときは、ボルトを外して連結板に取付けた取っ手を持って手前に引き出すことにより、レール部材とともに補強枠より取り外すことができる構成にしたことを特徴とする穀粒乾燥機。
【請求項２】
前記遠赤外線放射体を、遠赤外線透過材で覆うことを特徴とする請求項１に記載の穀粒乾燥機。
【発明の詳細な説明】
【０００１】
【発明の属する技術分野】
本発明は、遠赤外線放射体を設けた穀粒乾燥機に関するものである。
【０００２】
【従来の技術】
機内を循環させながら熱風を供給して穀粒の乾燥を行う循環型の穀粒乾燥機は従来からよく知られている。
また、始端側を燃焼装置に臨ませ、終端側を乾燥機後壁面に対向するように配設した遠赤外線放射体を集穀室又は乾燥室に設け、該遠赤外線放射体を燃焼装置により加熱し、遠赤外線放射体から放射される遠赤外線と燃焼装置による熱風により穀粒を乾燥するようにした穀粒乾燥機が知られている。
しかしながら、上記従来の穀粒乾燥機は、遠赤外線放射体を取り外して通常の熱風乾燥機として使用したり、また遠赤外線放射体を装着して遠赤外線放射機能を有した乾燥機として使用するなど、切換えが可能な構成ではないため、汎用性は低く、ユーザは両方のタイプの乾燥機を備える必要があるなど不都合が指摘されていた。
また、遠赤外線放射体が排風に曝され、塵埃などが原因で長期にわたり使用できなかった。
【０００３】
【発明が解決しようとする課題】
本発明は、上記従来の問題を解決するためになされたものであって、その目的とするところは、熱風乾燥機と遠赤外線放射機能を備えた乾燥機との切換えが容易にできる穀粒乾燥機を提供することにある。また、遠赤外線放射体の断熱と塵埃対策ができ、長期にわたり安全に使用することのできる穀粒乾燥機を提供することにある。
【０００４】
【課題を解決するための手段】
かかる目的を達成するために、本発明は以下のように構成している。請求項１の発明は、始端側をバーナに臨ませ、終端側を乾燥機後壁面に対向するように配設した遠赤外線放射体を集穀室又は乾燥室に設け、該遠赤外線放射体を前記バーナにより加熱し、該遠赤外線放射体から放射される遠赤外線と前記バーナによる熱風により穀粒を乾燥する穀粒乾燥機において、
前記バーナのバーナケースを機枠に回動自在に取り付け、バーナケースの回動により遠赤外線放射体の始端部が解放する構成とし、
前記遠赤外線放射体の上部に上方が屋根型の反射板を連結し、反射板の側面とレール部材とを連結板で連結し、
レール部材は、乾燥網下部の所定位置に設けた補強枠にスライド可能に係合し、遠赤外線放射体の装着時は、レール部材をボルト止めにより補強枠に固定し、遠赤外線放射体を取り外すときは、ボルトを外して連結板に取付けた取っ手を持って手前に引き出すことにより、レール部材とともに補強枠より取り外すことができる構成にしたことを特徴とする。
また、請求項２の発明は、前記遠赤外線放射体を、遠赤外線透過材で覆うことを特徴とする。
【０００５】
【発明の実施の形態】
以下に、図面を参照して本発明の実施の形態について説明する。
図１及び図２は本発明に係る穀粒乾燥機を示すもので、図１はその正面からみた断面図、図２はその側断面図である。
ここに示した穀粒乾燥機１は、穀粒を乾燥する循環型の乾燥機であり、全体は箱型形状を成し、機体２の内部には、貯留室３、乾燥室４、集穀室６、排風室５等を有している。さらに、穀粒の水分を検出する水分計３１や熱風を発生するバーナ１２等の燃焼装置を備えている。
【０００６】
穀粒乾燥機１は、このような構成において、バーナ熱風を乾燥室４に通気しつつ、機体長手方向に回転自在に配置されたロータリバルブ７で穀粒を一定量づつ繰り出し、その繰り出された穀粒が送りラセン１０で移送され、集穀された穀粒は揚穀エレベータ１１で上方に移送されて貯留室３内に供給されるという循環をしながら穀粒の乾燥を行なうようにした循環式の穀粒乾燥機である。そして、集穀室６と乾燥室４は連通し、集穀室６の風の流れによって、熱風は外側と中央部分に分かれ、外側と中央部分を熱風路としている。８はバーナケース、１３はコントローラ、１４はファンである。
【０００７】
また、集穀室６であって機内の中央部分には、始端側を燃焼装置であるバーナ１２に臨ませ、終端側を乾燥機後壁面に対向するように遠赤外線放射体９を配設し、該遠赤外線放射体９の先端側にはバーナ１２による熱風を排出する多孔９ａ、９ａ、…を形成している。そして、該遠赤外線放射体９を上記バーナ１２により加熱し、それにより該遠赤外線放射体９から放射される遠赤外線とこのバーナ１２による熱風により穀粒を乾燥するようにしている。
【０００８】
かかる構成の穀粒乾燥機１において、上記遠赤外線放射体９は、ネジ止め等によって機体２より着脱自在に構成されている。この遠赤外線放射体９を装着したときは、遠赤外線放射機能を有した乾燥機となり、遠赤外線放射体９を取り外したときは、通常の熱風乾燥による乾燥機となる。つまり、遠赤外線放射体９を着脱自在に構成することで、遠赤外線乾燥機と熱風乾燥機との切換えが可能となり、経済的で、市場適応性が高くなる。
【０００９】
次に、本発明の他の実施形態を説明する。
図３は本発明の他の実施形態を示す正面からみた断面図、図４はバーナ取付部の平面図、図５は遠赤外線放射体の着脱構造を示す斜視図である。
本実施形態において、円筒状の遠赤外線放射体９の上部に上方が屋根型の反射板１９を結合部材２０によって取り付け、反射板１９の側面とレール部材１６とを連結板１７で連結し、前記レール部材１６は乾燥網下部の所定位置に設けた補強枠１５と係合して遠赤外線放射体９の軸方向にスライド可能に構成されている。なお、遠赤外線放射体９は実施例では円筒状であるが、集穀室壁面３２に平行な面を下部に有する多角形状とし、集穀室壁面３２を流下する穀粒に輻射熱を均一に放射する形状でもよい。遠赤外線放射体９の装着時は、レール部材１６はボルト１８止めにより補強枠１５に固定される。ボルト１８を外して連結板１７に取付けた取っ手２２を持って手前に引き出すことにより、遠赤外線放射体９を反射板１９とともに機体より取り外すことが出来る（図５参照）。なお、上記反射板１９を取付けることで、その反射効果により遠赤外線放射体９を加熱することができる。
【００１０】
また、バーナケース８は蝶番２３によって機枠２１に回動自在に取付けられており、図４を参照すると明らかなように、バーナケース８を機枠２１側に装着した状態では、遠赤外線放射体９の始端側にバーナ１２が臨む位置に配置され、バーナケース８を手前側に回動させると、遠赤外線放射体９の始端側が開放するので、前述のようにして遠赤外線放射体９の着脱が可能になる。
以上の構成により、燃焼装置であるバーナ１２はそのままで、遠赤外線放射体９のみ機体より着脱可能にしたため、遠赤外線乾燥機と熱風乾燥機との切換えを容易に行なうことができる。
【００１１】
次に、本発明に関連して、乾燥室の層厚方向での乾燥ムラを無くすようにした穀粒乾燥機について説明する。
図６はこの穀粒乾燥機の平面からみた構成図、図７はその縦断面からみた構成図である。
この乾燥機は、中央に排風室２７を形成し、その両側に乾燥室２６を、その上流に熱風室２５を併設した構造の循環型の穀粒乾燥機である。そして、この中央の排風室２７に、始端と終端が同じ側に来るように屈曲した遠赤外線放射体２９を配設し、該遠赤外線放射体２９を遠赤外線透過材３０で覆い、該遠赤外線放射体２９の始端側を燃焼装置であるバーナ等に臨ませるとともに終端側を熱風室２５もしくはそれに接続すべく連通路２８に臨ませる。上記遠赤外線透過材３０は例えばガラスで構成される。
【００１２】
ところで、乾燥室２６は層厚があるため、従来は熱風に晒される側の穀粒が乾燥しやすく、排風側の方の穀粒は乾燥しにくいという不具合が生じていた。また、従来は、遠赤外線放射体を乾燥部に対向して配置していたが、かかる構成では遠赤外線は乾燥部の放射体側の穀粒にのみ効果があるだけで排風側には効果が無かった。そこで、上述の構成とすることにより、従来は効果の無かった排風側の穀粒を遠赤外線の照射により乾燥し、熱風側は従来の熱風により穀粒を乾燥するため、乾燥室２６の層厚方向での乾燥ムラが無くなるとともに、従来に比べ乾燥速度の高速化、省エネルギー化が図れる。
また、上述したように、遠赤外線放射体２９を覆い、外部に遠赤外線のみを透過させる遠赤外線透過材３０を配置したことにより、遠赤外線放射体２９を排風に曝されないようにして、遠赤外線放射体２９の断熱と塵埃対策ができ、長期にわたり安全に使用することが出来る。
【００１３】
【発明の効果】
以上詳細に説明したように、本発明の穀粒乾燥機は、始端側をバーナに臨ませ、終端側を乾燥機後壁面に対向するように配設した遠赤外線放射体を集穀室又は乾燥室に設け、該遠赤外線放射体を前記バーナにより加熱し、該遠赤外線放射体から放射される遠赤外線と前記バーナによる熱風により穀粒を乾燥する穀粒乾燥機であって、前記バーナのバーナケースを機枠に回動自在に取り付け、バーナケースの回動により遠赤外線放射体の始端部が解放する構成とし、前記遠赤外線放射体の上部に上方が屋根型の反射板を連結し、反射板の側面とレール部材とを連結板で連結し、レール部材は、乾燥網下部の所定位置に設けた補強枠にスライド可能に係合し、遠赤外線放射体の装着時は、レール部材をボルト止めにより補強枠に固定し、遠赤外線放射体を取り外すときは、バーナケースの回動により遠赤外線放射体の始端部を解放した後、ボルトを外して連結板に取付けた取っ手を持って手前に引き出すことにより、レール部材とともに補強枠より取り外すことができる構成にしたので、バーナはそのままで、遠赤外線放射体のみを簡単に着脱することができ、遠赤外線乾燥機と熱風乾燥機との切換えが容易に行える。
【００１４】
また、本発明の穀粒乾燥機は、遠赤外線放射体を、遠赤外線透過材で覆うので、遠赤外線放射体を排風に曝されないようにして、遠赤外線放射体の断熱と塵埃対策ができ、長期にわたり安全に使用することができる。
【図面の簡単な説明】
【図１】本発明に係る循環型穀粒乾燥機の正面からみた断面図である。
【図２】その側断面図である。
【図３】他の実施形態を示す正面からみた断面図である。
【図４】バーナ取付部の平面図である。
【図５】遠赤外線放射体の着脱機構を示す斜視図である。
【図６】乾燥室の層厚方向での乾燥ムラを無くすようにした穀粒乾燥機の平面からみた構成図である。
【図７】その縦断面からみた構成図である。
【符号の説明】
１  穀粒乾燥機
３  貯留室
４  乾燥室
５  排風室
６  集穀室
７  ロータリバルブ
８  バーナケース
９  遠赤外線放射体
１２  バーナ
１５  補強枠
１６  レール部材
１９  反射板
【図１】
0004378871.tif 000002
【図２】
0004378871.tif 000003
【図３】
0004378871.tif 000004
【図４】
0004378871.tif 000005
【図５】
0004378871.tif 000006
【図６】
0004378871.tif 000007
【図７】
0004378871.tif 000008